(57)【要約】【課題】室内空間を有効かつ弾力的に活用すると共に、ボタンのミスタッチなどによる不意の昇降動作を回避する懸垂式電動昇降階段システムの提供。【解決手段】本体の頂端を伝動軸装置で鉄骨建築物のＩ形梁１に固定し、本体の底端は支持方式８で地面の上に立て、本体に手すり７及び伝動装置１１を配して、懸垂式電動昇降階段システムを形成している。本システムは、電動式の昇降機能を備え、階段上昇時I型梁に平行に保持されることができるため、室内空間を有効かつ弾力的に運用して、伝統的な階段が室内空間を占有している欠点を解決することができる。停電のときには手動操作に改めて階段を上昇または下降させることができる。このほか、住居の安全性を考慮して、本システムは安全バックル装置を設けて、ボタンのミスタッチによる階段の不意の上昇を防止して住居の安全を確保することができる。【選択図】図１
2005264515.tif 000002
【特許請求の範囲】
【請求項１】
鉄骨建物のＩ形梁の下端に伝動軸装置を介し本体の頂端を固定しそして地上に本体の底端を支持し、その構成が、I型梁、固定ベース、伝動軸装置、軸受、伝動軸、亜鉛メッキ鋼製階段、安全手すり、下支えセットスクリュー・ホルダ、懸垂ケーブル、ケーブル緊結部材、伝動装置、駆動モーター、伝動スプロケットセット、滑車、チェーン、鉄製スプロケットドラム、安全バックル装置、電源制御器、安全ラッチの各部材からなる懸垂式伝動昇降階段であって、
固定ベースを  建築物の主構造が完成した鉄骨建物のそれぞれ２つの隣接するI型梁の底側の予め設けた穴に固定するとともに、
固定ベース上に軸受を配設して伝動軸装置を取り付け、
当該伝動軸装置は当該２つの隣接するI型梁の間に設けた亜鉛メッキ鋼製階段と接合してこれを固定してなり、
当該２つの隣接するI型梁の前記固定ベースと相対する側に伝動装置を配置し、該伝動装置を、亜鉛メッキ鋼製階段の他端側をケーブル緊結部材により固定された懸垂ケーブルを駆動モーター、チェーン、鉄製スプロケットドラムからなる伝動スプロケットセットにより滑車を介して巻回する構成として亜鉛メッキ鋼製階段を昇降可能とし、
亜鉛メッキ鋼製階段の本体底端の下方に、階段が下降したときに地面に支持すると共に水平位置調節可能な下支えセットスクリュー・ホルダを設けてなり、
また亜鉛メッキ鋼製階段の本体の両側には手で握ることができる安全手すりが配設され、
さらに、前記伝動スプロケットセットのほか、停電時に駆動モーターに代えて階段を上昇または下降させることができる手動動操作用の鉄製スプロケットドラムが別に設けられているとともに、電源制御器および安全ラッチで構成される安全バックル装置が配設されてなる
ことを特徴とする前記懸垂式伝動昇降階段。
【発明の詳細な説明】
【技術分野】
【０００１】
本発明は懸垂式電動昇降階段システムに関するものであり、とくに本体の頂端を伝動軸装置で鉄骨建築物のＩ形梁に固定し、本体の底端は支持方式で地面の上に立て、本体に手すりおよびケーブル伝動装置を配して形成した懸垂式電動昇降階段システムに関する。
【背景技術】
【０００２】
一般に室内の階段は、規格の種類は多いが、大多数は公知の固定装置方式を踏襲しており、空間の効率的運用はやはり限られ、階段の運用空間を無駄にしている欠点がある。市販品には伸縮収合できるように設計された階段もあり、空間運用の無駄の問題を解決しようとしているが、このような伸縮収合できる階段は、大多数はアセンブリが煩雑でしかも操作は手間がかかって面倒であり、通常は軽便型に属し、使用時の安全性は劣っている。
【特許文献１】２００３−１３８７６４号公報
【特許文献２】２００３−２７８３９３号公報
【発明の開示】
【発明が解決しようとする課題】
【０００３】
省力機能を備え、上下昇降方式で空間を無駄に占有しない収容状態にすることのできる懸垂式電動昇降階段であり、住宅空間に高度の流動性及び高度の可変性を備えた調整機能を発揮させて、十分な有効な運用空間を持たせ、しかも住居の安全性を考慮して安定した本体および安全バックル装置を構成して、利用者に丈夫な階段本体を提供するとともにボタンのミスタッチ等の誤操作により階段が上昇したりして滑落する危険を防止し、住居の安全を確保することを課題とする。
【課題を解決するための手段】
【０００４】
上述した問題点を解決するために、本発明者は改良の道を真摯に検討し、多数にわたる試作、改良、研究を経て、遂に完成した革新的な設計の懸垂式電動昇降階段は、鉄骨建築物のＩ形梁の上に伝動軸装置で本体の頂端を固定し、地面の上に支持方式で本体の底端を支持し、本体に手すりおよびケーブル伝動装置を配して、懸垂式電動昇降階段を形成している。
【０００５】
本発明に係わる懸垂式電動昇降階段は、鉄骨建物のＩ形梁の下端に伝動軸装置で本体の頂端を固定しそして地面の上端に支持方式で本体の底端を支持し、本体に手すりおよびケーブル伝動装置を配して、I型梁、固定ベース、伝動軸装置、軸受、伝動軸、亜鉛メッキ鋼製階段、安全手すり、下支えセットスクリュー・ホルダ、懸垂ケーブル、ケーブル緊結部材、伝動装置、駆動モーター、伝動スプロケットセット、滑車、チェーン、鉄製スプロケットドラム、安全バックル装置、電源制御器、安全ラッチなどの部材からなる。
その構成は、建築物の主構造が完成したのちに先ず、固定ベースをそれぞれ鉄骨建物のI型梁底側の両端に予め設けた穴に固定するとともに、固定ベース上に軸受を配設して伝動軸を取り付け、当該伝動軸受は亜鉛メッキ鋼製階段の本体の頂端と接合して固定し、電源をオンにすると起動された駆動モーターが伝動装置を連動し、亜鉛メッキ鋼製階段本体を伝動装置と合わせて上昇と下降をさせ、亜鉛メッキ鋼製階段の本体底端の下方に階段が下降したときに地面に支えることができて水平調節に用いる下支えセットスクリュー・ホルダを設けるとともに、亜鉛メッキ鋼製階段の本体の両側に握りに供ししかも転落を回避できる安全手すりを配設し、前記伝動装置は伝動スプロケットセット、チェーン、固定ベース、軸受、伝動軸、滑車、懸垂ケーブルを備えて構成されており、電源スイッチをオンにすると駆動モーターを運転させたのちに、駆動モーターは伝動チェーンセットを連動させると同時に伝動軸および滑車を動かして、懸垂ケーブルを巻き上げ、亜鉛メッキ鋼製階段をゆっくりと上昇させるので、空間を占有せずに室内空間を有効かつ弾力的に運用できる収納状態になる。このほか、停電のときには手動操作に改めて鉄製スプロケットドラムを駆動モーターに代えて階段を上昇または下降させることができる。
【０００６】
住居の安全性を考慮して、本発明に係わる懸垂式電動昇降階段にはボタンのミスタッチなどで階段が上昇したりして滑落することを防止し、回避できる安全バックル装置を配設しており、この安全バックル装置は電源制御器および安全ラッチで構成され、安全ラッチが押し出されてラッチ受けに差し込まれると、電源制御器は電気が断ち切られるので、不注意に電源開閉器をミスタッチして階段を上昇または下降させる心配はまったくなく、安全ラッチがラッチ受けを出て電源制御器と通電したときに初めて、階段は上昇または下降することができる。
【発明の効果】
【０００７】
上述したように、鉄骨建物のI型梁の下端および地面の上端にそれぞれ伝動軸装置を介する固定方式及び支持方式を採用し、固定ベース、伝動軸装置、軸受、伝動軸、亜鉛メッキ鋼製階段、安全手すり、下支えセットスクリュー・ホルダ、懸垂ケーブル、ケーブル緊結部材、伝動スプロケットセット、駆動モーター、滑車、チェーン、安全バックル装置、電源制御器、安全ラッチなどの部材を配設することにより、本発明のいわゆる懸垂式電動昇降階段を形成するので、室内空間をより弾力的に活用して、伝統的な階段が室内空間を占有している欠点を解決することができる。
【発明を実施するための最良の形態】
【０００８】
本実施例はすでに本発明者の実験住宅において実際に実施済みであり、鉄骨建物のI型梁の下端および地面の上端にそれぞれ伝動軸装置を介する固定方式及び支持方式を採用し、I型梁、固定ベース、伝動軸装置、軸受、伝動軸、亜鉛メッキ鋼製階段、安全手すり、下支えセットスクリュー・ホルダ、懸垂ケーブル、ケーブル緊結部材、伝動装置、駆動モーター、伝動スプロケットセット、滑車、チェーン、鉄製スプロケットドラム、安全バックル装置、電源制御器、安全ラッチなどの部材にて、懸垂式電動昇降階段を構成した。以下に図面を参照しながら、本発明について詳細に説明する。
図１は本発明と係わる懸垂式電動昇降階段を鉄骨建築住宅に配置したときの側面図であり、図２は図１の懸垂式電動昇降階段にある伝動軸装置３の正面相対位置の拡大図（ａ）と背面相対位置の拡大図（ｂ）であり、図３は図１の懸垂式電動昇降階段にある伝動装置１１を図１の右側から見たときの相対位置の拡大図であり、図４は本発明に係わる懸垂式電動昇降階段で用いる安全バックル装置１７の相対位置の拡大図である。
図１から図３に示すように、実施方式は建築物の主構造が完成したのちに先ず、２つの固定ベース２をそれぞれ鉄骨建築住宅内の２つの隣接するI型梁１の底側の予め設けた穴に固定するとともに、固定ベース２に軸受５を配設して伝動軸４を取り付け、当該伝動軸は当該２つの隣接するI型梁の間に設けた亜鉛メッキ鋼製階段６と接合し、当該２つの隣接するI型梁に設けた固定ベースと別個の相対する側にある伝動装置１１内の駆動モーター１２（図３を参照）を電源をオンにして起動させて伝動装置１１を駆動して亜鉛メッキ鋼製階段６を上昇と下降をさせる。
亜鉛メッキ鋼製階段６の下方に、階段が下降したときに地面に支持して水平姿勢調節に用いるために便利な下支えセットスクリュー・ホルダ８を設け、亜鉛メッキ鋼製階段６の両側に手で掴むことができる安全手すり７を設けているので、不意の転落による事故を回避することができる。
前記伝動装置１１は伝動スプロケットセット１３と、チェーン１５と、伝動軸４と、滑車１４と、懸垂ケーブル９とを含んでおり、これと相対する固定ベース２と、軸受５とにより、前記懸垂ケーブル９の別端は亜鉛メッキ鋼製階段６の懸垂ケーブル緊結部材１０と接合し、電源スイッチをオンにして駆動モーター１２を運転させると駆動モーター１２は、伝送装置の側のI型梁上に設けた伝動スプロケットセット１３を連動させると同時に、伝送装置の側の２つの隣接するI型梁の間に設けた伝動軸４、及びその伝動軸に嵌合する滑車１４を動かして、滑車１４を回転させて本体の下方に設けた懸垂ケーブル緊結部材１０と接合した懸垂ケーブル９を巻き上げることにより亜鉛メッキ鋼製階段６をゆっくりと上昇させるので、空間を占有しない収納状態として室内空間を有効かつ弾力的に運用できる。
このほか、停電のときには手動操作に改めて鉄製スプロケットドラム１６を駆動モーター１２に代えて階段を上昇または下降させることができる。
住居の安全性を考慮して、本発明では安全バックル装置１７を配設しており、図４に示すように、ボタンのミスタッチで階段が不意に上昇等することによる滑落を回避して、住居の安全を確保することができる。安全バックル装置１７は、電源制御器１８および安全ラッチ１９で構成されている。安全ラッチ１９が押し出されてラッチ受けに差し込まれると、電源制御器１８は電気が断ち切られるので、不注意に電源開閉器をミスタッチしても階段を上昇または下降させることはなく、安全ラッチ１９がラッチ受けを出て、電源制御器１８と通電したときに初めて、階段は上昇または下降する。
上述したように、鉄骨建物のI型梁の下端および地面の上端にそれぞれ伝動軸装置を介する固定方式及び支持方式を採用し、固定ベース、伝動軸装置、軸受、伝動軸、亜鉛メッキ鋼製階段、安全手すり、下支えセットスクリュー・ホルダ、懸垂ケーブル、ケーブル緊結部材、伝動スプロケットセット、駆動モーター、滑車、チェーン、安全バックル装置、電源制御器、安全ラッチなどの部材を配設すれば即、本発明のいわゆる懸垂式電動昇降階段を形成するので、室内空間をより弾力的に運用し、伝統的な階段が室内空間を占有している欠点を解決することができる。
【図面の簡単な説明】
【０００９】
【図１】本発明に係わる懸垂式電動昇降階段を鉄骨建築住宅に配置したときの側面図である。
【図２】図１の懸垂式電動昇降階段にある伝動軸受装置３の正面相対位置の拡大図（ａ）と背面相対位置の拡大図（ｂ）である。
【図３】図１の懸垂式電動昇降階段にある伝動装置１１を図１の右側から見たときの相対位置の拡大図である。
【図４】本発明に係わる懸垂式電動昇降階段で用いる安全バックル装置１７の相対位置の拡大図である。
【符号の説明】
【００１０】
１．I型梁
２．固定ベース
３．伝動軸装置
４．伝動軸
５．軸受け
６．亜鉛メッキ鋼製階段
７．安全手すり
８．下支えセットスクリュー・ホルダ
９．懸垂ケーブル
１０．懸垂ケーブル緊結部材
１１．伝動装置
１２．駆動モーター
１３．伝動スプロケットセット
１４．滑車
１５．チェーン
１６．鉄製スプロケットドラム
１７．安全バックル装置
１８．電源制御器
１９．安全ラッチ
【図１】
2005264515.tif 000003
【図２】
2005264515.tif 000004
【図３】
2005264515.tif 000005
【図４】
2005264515.tif 000006